(57)【特許請求の範囲】
【請求項１】
外側面のそれぞれ異なる位置に、ガス圧力計を取付ける圧力計取付部と、外部からガスの給排気を行う給排気部と、ガス開閉用部品を挿入することができると共に、配管接続機能を有するアダプタを取付けるアダプタ取付部が設けられた収納スペースと、上記収納スペースと連通する連通路を有し、外部から、上記収納スペースに挿入されるガス開閉用部品を動作させるハンドルを挿入するための作業穴、とが設けられ、内部には、上記圧力計取付部と、給排気部と、収納スペースとをそれぞれ連通するガス通路が形成され、作業穴と収納スペースとは直線状に連通するよう構成し、収納スペースに挿入されるガス開閉用部品としての弁棒を回転摺動させるためのねじ部を、上記作業穴の連通路に形成したガス配管用ブロックと、上記収納スペースに挿入され上記ガス通路を開閉するガス開閉用部品としての弁棒であって、円筒状の第１の筒状体と、この第１の筒状体と同心円をなし、第１の筒状体の半径より大きい半径を有して第１の筒状体に連接した第２の筒状体とから成り、上記第１の筒状体の外周面上に、パッキンを挿入する溝と、上記配管用ブロックの作業穴に形成されたねじ部と螺合して回転摺動するためのねじ部が形成され、弁棒の両端面は、二面幅を持つよう構成されると共に、上記第１の筒状体と第２の筒状体とが連接する部分において、第２の筒状体の収納スペースの底面と当接する端面が弁棒の中心軸に対して成す角度が、鋭角となるよう構成されたガス開閉用部品とを備えたことを特徴とするガス配管用ブロックとそのガス開閉用部品。
【請求項２】
外側面のそれぞれ異なる位置に、ガス圧力計を取付ける圧力計取付部と、外部からガスの給排気を行う給排気部と、ガス開閉用部品を挿入することができると共に、配管接続機能を有するアダプタを取付けるアダプタ取付部が設けられた収納スペースと、上記収納スペースと連通する連通路を有し、外部から、上記収納スペースに挿入されるガス開閉用部品を動作させるハンドルを挿入するための作業穴、とが設けられ、内部には、上記圧力計取付部と、給排気部と、収納スペースとをそれぞれ連通するガス通路が形成されて成るガス配管用ブロックと、上記収納スペースに挿入され上記ガス通路を開閉するガス開閉用部品と、上記圧力計取付部に取付けられた圧力計と、上記アダプタ取付部に取付けられた配管接続機能を有するアダプタと、上記アダプタの配管接続部に取付けられた配管、を備え、作業穴と収納スペースとは直線状に連通するよう構成され、上記作業穴の連通路には収納スペースに挿入されるガス開閉用部品としての弁棒を回転摺動させるためのねじ部が形成され、上記ガス開閉用部品としての弁棒は、円筒状の第１の筒状体と、この第１の筒状体と同心円をなし、第１の筒状体の半径より大きい半径を有して第１の筒状体に連接した第２の筒状体とから成り、上記第１の筒状体の外周面上に、パッキンを挿入する溝と、上記作業穴に形成されたねじ部と螺合して回転摺動するねじ部が形成され、弁棒の両端面は、二面幅を持つよう構成されたことを特徴とするガス配管。
【請求項３】
上記第１の筒状体と第２の筒状体とが連接する部分において、第２の筒状体の収納スペースの底面と当接する端面が弁棒の中心軸に対して成す角度が、鋭角となるよう構成したことを特徴とする請求項２に記載のガス配管。
【発明の詳細な説明】
【技術分野】
【０００１】
この発明は、ガス密封容器を真空引きおよびガス封入し、圧力計によってその内部圧力を監視するために用いられるガス配管に関するものである。
【背景技術】
【０００２】
この発明と関連する従来のガス配管の一例として、例えば特開平５−３３６６２９に示されるものがある。
一般に従来のガス配管は、市販されている開閉用バルブや、給排気部を有するアダプタなどを、圧力計、パッキン、ナット、配管などで締結することで構成されている。
【先行技術文献】
【特許文献】
【０００３】
【特許文献１】
特開平５−３３６６２９号公報
【発明の概要】
【発明が解決しようとする課題】
【０００４】
このようなガス配管では、開閉用バルブやアダプタによって配管の構成および大きさが決定されるため、外形寸法の縮小が困難であった。
また、多くの構成部品を組み立てる必要があるため、組立時間に長時間が必要であった。
【０００５】
この発明は、上記のような問題を解決するものであって、ガス配管において必要な機能である開閉と給排気の機能を一つの部品に集約し、外形寸法の縮小およびコスト低減を可能とする、ガス配管用ブロックおよびこのブロックを用いたガス配管を提供することを目的とする。
また、この発明のガス配管に好適なガス開閉用部品を提供することを目的とする。
【課題を解決するための手段】
【０００６】
この発明のガス配管用ブロックとそのガス開閉用部品は、外側面のそれぞれ異なる位置に、ガス圧力計を取付ける圧力計取付部と、外部からガスの給排気を行う給排気部と、ガス開閉用部品を挿入することができると共に、配管接続機能を有するアダプタを取付けるアダプタ取付部が設けられた収納スペースと、上記収納スペースと連通する連通路を有し、外部から、上記収納スペースに挿入されるガス開閉用部品を動作させるハンドルを挿入するための作業穴、とが設けられ、内部には、上記圧力計取付部と、給排気部と、収納スペースとをそれぞれ連通するガス通路が形成され、作業穴と収納スペースとは直線状に連通するよう構成し、収納スペースに挿入されるガス開閉用部品としての弁棒を回転摺動させるためのねじ部を、上記作業穴の連通路に形成したガス配管用ブロックと、上記収納スペースに挿入され上記ガス通路を開閉するガス開閉用部品としての弁棒であって、円筒状の第１の筒状体と、この第１の筒状体と同心円をなし、第１の筒状体の半径より大きい半径を有して第１の筒状体に連接した第２の筒状体とから成り、上記第１の筒状体の外周面上に、パッキンを挿入する溝と、上記配管用ブロックの作業穴に形成されたねじ部と螺合して回転摺動するためのねじ部が形成され、弁棒の両端面は、二面幅を持つよう構成されると共に、上記第１の筒状体と第２の筒状体とが連接する部分において、第２の筒状体の収納スペースの底面と当接する端面が弁棒の中心軸に対して成す角度が、鋭角となるよう構成されたガス開閉用部品とを備えている。
【０００７】
また、この発明のガス配管は、外側面のそれぞれ異なる位置に、ガス圧力計を取付ける圧力計取付部と、外部からガスの給排気を行う給排気部と、ガス開閉用部品を挿入することができると共に、配管接続機能を有するアダプタを取付けるアダプタ取付部が設けられた収納スペースと、上記収納スペースと連通する連通路を有し、外部から、上記収納スペースに挿入されるガス開閉用部品を動作させるハンドルを挿入するための作業穴、とが設けられ、内部には、上記圧力計取付部と、給排気部と、収納スペースとをそれぞれ連通するガス通路が形成されたガス配管用ブロックと、上記収納スペースに挿入され上記ガス通路を開閉するガス開閉用部品と、上記圧力計取付部に取付けられた圧力計と、上記アダプタ取付部に取付けられた配管接続機能を有するアダプタと、上記アダプタの配管接続部に取付けられた配管、を備え、作業穴と収納スペースとは直線状に連通するよう構成され、上記作業穴の連通路には収納スペースに挿入されるガス開閉用部品としての弁棒を回転摺動させるためのねじ部が形成され、上記ガス開閉用部品としての弁棒は、円筒状の第１の筒状体と、この第１の筒状体と同心円をなし、第１の筒状体の半径より大きい半径を有して第１の筒状体に連接した第２の筒状体とから成り、上記第１の筒状体の外周面上に、パッキンを挿入する溝と、上記作業穴に形成されたねじ部と螺合して回転摺動するねじ部が形成され、弁棒の両端面は、二面幅を持つよう構成されている。
【発明の効果】
【０００８】
この発明によれば、ガス配管において必要な機能である通気部の開閉とガス密封容器への給排気の機能を一つの部品に集約することができるため、ガス配管の外形寸法を縮小することができる。
また、構成部品が縮小化、簡素化されるため、一般的な機械加工によって製作でき、コスト低減を図ることができる。
【図面の簡単な説明】
【０００９】
【第１図】この発明の実施の形態１におけるガス配管の構成図である。
【第２図】この発明の実施の形態１におけるガス配管用ブロックの構成図である。
【第３図】この発明の実施の形態１における弁棒の正面図、後面図および側断面図である。
【第４図】この発明の実施の形態１における弁棒の斜視図である。
【第５図】この発明の実施の形態１における弁棒の部分拡大図である。
【第６図】この発明の実施の形態２におけるガス配管の構成図で、ガス通路が閉状態を示す。
【第７図】この発明の実施の形態２におけるガス配管の要部を示す図で、ガス通路が開状態を示す図である。
【第８図】この発明の実施の形態２におけるボールバルブの一例を示す斜視図である。
【第９図】この発明の実施の形態２におけるスペーサの一例を示す斜視図である。
【発明を実施するための形態】
【００１０】
実施の形態１．
第１図〜第５図はこの発明の実施の形態１のガス配管、ガス配管用ブロック、およびガス開閉用部品を示すもので、図中、同一符号は、同一または相当部分を示す。
第１図は、この発明の実施の形態１におけるガス配管の全体構成を示すもので、第１図（ａ）は正面図、第１図（ｂ）は、第１図（ａ）のＡ−Ａ線における側断面図である。
第１図において、ガス配管用ブロック１（このガス配管用ブロックの詳細については第２図により後述する。）の圧力計取付部２には、ナット１０を介して圧力計９が接続されている。ガス配管用ブロック１のアダプタ取付部４には、ガス配管ブロック１と配管（図示せず）を接続するアダプタ１１が接続されている。アダプタ１１の配管接続部１８には、ガス密封容器（例えばタンク、図示せず）に接続する配管（図示せず）が接続されている。
ガス配管用ブロック１の収納スペース６には、パッキン１３を溝に配設したガス開閉用部品である弁棒１２が挿入されている。（この弁棒の詳細については第３図〜第５図により後述する。）
【００１１】
配管用ブロック１の作業穴７からハンドル（図示せず）が挿入され、ハンドルの先端が弁棒１２の二面幅部に嵌合すると、弁棒１２を回転させることが出来る。
その際、ガス配管ブロック１内部にあるねじ部８によって弁棒１２が軸方向に摺動し、ガス通路である貫通穴５を閉鎖・開放することができる。
即ち、収納スペース６の底面に弁棒の端面１７の外周が当接すると、その接触面において貫通穴５が閉鎖されるものである。（第１図は貫通穴５が閉鎖された状態を示す。）
【００１２】
次に上述したガス配管に用いられるガス配管用ブロック１の詳細について説明する。
第２図は、ガス配管用ブロックの構成図で、第２図（ａ）は正面図、第２図（ｂ）は、第２図（ａ）のＡ−Ａ線における側断面図である。
第２図において、ガス配管用ブロック１は、例えば、黄銅やアルミニウムなどの金属製立方体から構成されており、各外側面に、圧力計を取付ける圧力計取付部２と、外部からガスの給排気を行う給排気部３と、ガス開閉用部品としての弁棒を挿入することが出来る収納スペース６が設けられている。
そして立方体の内部には、上記圧力計取付部２、給排気部３、収納スペース６をそれぞれ連通してガス通路を形成する貫通穴５が設けられている。
【００１３】
また、立方体の上記収納スペース６と対向する側面に、上記弁棒１２を動作させるハンドル（図示せず）を挿入するための作業穴７が設けられ、この作業穴７は、収納スペース６と直線状に連通する、収納スペースまで貫通した連通路を有している。
さらに、上記収納スペース６には、配管を接続する機能を有するアダプタ１１を取付けるアダプタ取付部４が形成されている。
【００１４】
つづいて、上述したガス配管用ブロック１と共に用いられるガス開閉用部品である弁棒について説明する。
第３図は、この発明の実施の形態１における弁棒を示すもので、第３図（ａ）は正面図、第３図（ｃ）は後面図、第３図（ｂ）は、第３図（ｃ）のＡ−Ａ線における側断面図である。
また、第４図は、弁棒の斜視図、第５図は、第３図（ｂ）のＸ部分の部分拡大図である。
【００１５】
第３図、第４図において、弁棒１２は、円筒状の第１の筒状体１２Ａと、この第１の筒状体１２Ａと同心円をなし、第１の筒状体の半径より大きい半径を有して第１の筒状体に連接した第２の筒状体１２Ｂとから構成されている。
弁棒１２の第１の筒状体１２Ａの曲面である側面上に、パッキン１３を挿入するための溝１４と、回転・摺動するためのねじ部１５が形成されている。
【００１６】
また、第５図に示すように、半径の異なる第１の筒状体１２Ａと第２の筒状体１２Ｂが連接する部分において、第２の筒状体１２Ｂの端面１７が、弁棒の中心軸に対して成す角度が、α°だけ直角より小さい角度、即ち、鋭角となるように構成されている。
【００１７】
また、弁棒１２の両端は、それぞれ二面幅１６を持つよう切削されている。一方の二面幅部１６Ａは、弁棒１２を回転させるハンドルを嵌合させるために用いられる。
もう一方の二面幅部１６Ｂは、ガス配管ブロック１内部で弁棒１２が摺動してアダプタ１１に接した際、貫通穴５を塞がず、通気を確保するために設けられている。
【００１８】
以上のように、この発明の実施の形態１のガス配管によれば、ガス配管用ブロック１に、通気部の開閉とガス密封容器への給排気の機能が集約しているため、外形寸法を従来のガス配管より縮小することができる。
また、ガス配管を構成しているガス配管ブロック、弁棒およびアダプタは、いずれも外形が小さく、一般的な機械加工によって製作できるため、コストの低減を図ることができる。
さらに、部品点数の削減にともなって、組立時間を短縮できるため、組立費用も低減することができる。
【００１９】
実施の形態２．
第６図〜第９図はこの発明の実施の形態２のガス配管、ガス配管用ブロック、およびガス開閉用部品を示すもので、図中、第１図との同一符号は、同一または相当部分を示すので、詳細説明は省略する。
この発明の実施の形態２におけるガス配管は、ガス配管用ブロック１の収納スペース６が、実施の形態１とは異なる位置に設けられ、ガス開閉用部品としてボールバルブを使用するよう構成したものである。
【００２０】
この実施の形態２に用いられるボールバルブ１９は、第８図に示すように、金属（例えば黄銅やアルミ）製で、全体が略球状に成形され、中央にガス通路となる貫通孔２２を有し、上記貫通孔２２に対し平行な溝２１を有している。
ガス配管用ブロック１の収納スペース６は、ボールバルブの挿入方向が作業穴７の連通路と交叉する側（図においては下面）に設けられている。
即ち、実施の形態２のガス配管は、第６図に示すように、ガス配管用ブロック１の収納スペース６に、略球状のボールバルブ１９が、側面に設けられた溝２１が作業穴７に向くよう挿入されている。
【００２１】
このボールバルブ１９は、第９図に示すような、樹脂（例えばテフロン）を円筒状に成形し、一方の端面の内側を面取りしたスペーサ２０によって、上記収納スペース６の奥行方向に挟むように配置されている。
そして、配管を接続する機能を有するアダプタ１１をアダプタ取付部４に取付け、圧力計９を圧力計取付部２に取付け、上記アダプタ１１の配管接続部１８に配管（図示せず）を取付けている。
上記ボールバルブ１９とスペーサ２０の間には潤滑油が塗布されており、ガス配管用ブロック１の作業穴７からハンドル（図示せず）が挿入され、ハンドルの先端がボールバルブ１９の溝２１に嵌合すると、ボールバルブ１９を回転させることが出来る。その際、ボールバルブ１９の貫通孔２２が、ガス配管ブロック１内部の貫通穴５とほぼ垂直になると貫通孔２２は閉鎖され（第６図の状態）、逆にほぼ平行になると貫通穴５は開放される（第７図の状態）。
【００２２】
以上のように、この発明の実施の形態２のガス配管によれば、実施の形態１と同様に、ガス配管ブロック１に通気部の開閉とガス密封容器への給排気の機能が集約しているため、外形を従来のガス配管より縮小することができる。
また、ガス配管を構成しているガス配管ブロック、アダプタ、ボールバルブ、スペーサなどは、いずれも外形が小さく、一般的な機械加工によって製作できるため、コストの低減を図ることができる。
さらに、部品点数の削減にともなって、組立時間を短縮できるため、組立費用も低減することができる。
【産業上の利用可能性】
【００２３】
この発明は、ガス絶縁開閉装置など、ガス配管一般に用いることが出来、利用可能性は高い。
【図１】
0004566131.tif 000002
【図２】
0004566131.tif 000003
【図３】
0004566131.tif 000004
【図４】
0004566131.tif 000005
【図５】
0004566131.tif 000006
【図６】
0004566131.tif 000007
【図７】
0004566131.tif 000008
【図８】
0004566131.tif 000009
【図９】
0004566131.tif 000010